【手続補正書】
【提出日】平成30年9月19日(2018.9.19)
【手続補正１】
【補正対象書類名】特許請求の範囲
【補正対象項目名】全文
【補正方法】変更
【補正の内容】
【特許請求の範囲】
【請求項１】
本体開口を備えた装置本体と、
前記本体開口を開閉するドアと、
前記本体開口を介して、前記装置本体の内側に位置する内側位置と、前記装置本体の外側に位置する外側位置と、の間を移動可能なユニットと、を有する画像形成装置であって、
前記ユニットは、
感光体と、前記感光体を回転させるための駆動力を受ける感光ドラムカップリングと、前記感光体に接触して前記感光体上に形成された静電潜像を現像する為の現像ローラと、前記現像ローラを回転させるための駆動力を受ける現像カップリングと、前記現像ローラに供給する現像剤を収容する現像剤収容部と、を有するプロセスカートリッジと、
前記プロセスカートリッジを取り外し可能に支持し、前記本体開口を介して、前記装置本体の内側に位置する内側位置と、前記装置本体の外側に位置する外側位置と、の間を移動可能な支持部材と、を有し、
前記装置本体は、
前記ドアが閉まる動作に連動して、前記現像カップリングと係合して前記現像カップリングに駆動力を伝える本体側現像カップリングと、
前記ドアが閉まる動作に連動して、前記感光ドラムカップリングと係合して前記感光ドラムカップリングに駆動力を伝える本体側感光ドラムカップリングと、有し、
前記ユニットは、
前記感光体と前記現像ローラとを接触させるための接触位置と、前記感光体と前記現像ローラとを離間させる為の離間位置と、を取り得る接離部材と、
前記装置本体からの駆動力を第１の方向に回転し伝達することで前記接離部材を、前記離間位置から前記接触位置に移動させる移動部材と、を有し、
前記移動部材は、前記第１の方向とは逆の第２の方向に回転することで、前記接離部材を、前記接触位置から前記離間位置に移動させ、前記接離部材が前記離間位置に移動したときに、前記感光体は前記現像ローラから離間し、
前記接離部材は、前記感光体の長手方向において前記感光体の片方の端部の外側にのみ設けられていることを特徴とする画像形成装置。
【請求項２】
前記接離部材は、前記移動部材からの駆動力を受ける為の駆動力受け部と、凸形状の力
付与部を有し、
前記駆動力受け部が駆動力を受け、前記接離部材が前記離間位置に移動し、該移動に応じて前記力付与部が前記プロセスカートリッジの枠体に当接し前記プロセスカートリッジの一部を移動させることで、前記感光体と前記現像ローラを離間させることを特徴とする請求項１に記載の画像形成装置。
【請求項３】
前記駆動力受け部が駆動力を受け、前記接離部材が前記離間位置から前記接触位置に移動したことに応じて、前記力付与部による前記当接が解除され、前記感光体と前記現像ローラが当接することを特徴とする請求項２に記載の画像形成装置。
【請求項４】
前記移動部材はギアであり、前記駆動力受け部は、前記移動部材のギアからの駆動力を受けるギアであることを特徴とする請求項２または３に記載の画像形成装置。
【請求項５】
前記プロセスカートリッジは、第１色に対応した第１プロセスカートリッジと、前記第１色とは異なる第２色の第２プロセスカートリッジを含み、
前記接離部材は、前記第１色に対応した第１接離部材と、前記第２色に対応した第２接離部材を含むことを特徴とする請求項１乃至４の何れか１項に記載の画像形成装置。
【請求項６】
本体開口を備えた装置本体と、
前記本体開口を開閉するドアと、
前記本体開口を介して、前記装置本体の内側に位置する内側位置と、前記装置本体の外側に位置する外側位置と、の間を移動可能なユニットと、を有する画像形成装置であって、
前記ユニットは、
感光体と、前記感光体に接触して前記感光体上に形成された静電潜像を現像する為の現像ローラと、前記現像ローラに供給する現像剤を収容する現像剤収容部と、を有するプロセスカートリッジと、
前記プロセスカートリッジを取り外し可能に支持し、前記本体開口を介して、前記装置本体の内側に位置する内側位置と、前記装置本体の外側に位置する外側位置と、の間を移動可能な支持部材と、を有し、
前記ユニットは、
前記感光体と前記現像ローラとを接触させるための接触位置と、前記感光体と前記現像ローラとを離間させる為の離間位置と、を取り得る接離部材と、
前記装置本体からの駆動力を第１の方向に回転し伝達することで前記接離部材を、前記離間位置から前記接触位置に移動させる移動部材と、を有し、
前記移動部材は、前記第１の方向とは逆の第２の方向に回転することで、前記接離部材を、前記接触位置から前記離間位置に移動させ、前記接離部材が前記離間位置に移動したときに、前記感光体は前記現像ローラから離間し、
前記接離部材は、前記感光体の長手方向において前記感光体の片方の端部の外側にのみ設けられていることを特徴とする画像形成装置。
【請求項７】
前記接離部材は、前記移動部材からの駆動力を受ける為の駆動力受け部と、凸形状の力付与部を有し、
前記駆動力受け部が駆動力を受け、前記接離部材が前記離間位置に移動し、該移動に応じて前記力付与部が前記プロセスカートリッジの枠体に当接し前記プロセスカートリッジの一部を移動させることで、前記感光体と前記現像ローラを離間させることを特徴とする請求項６に記載の画像形成装置。
【請求項８】
前記駆動力受け部が駆動力を受け、前記接離部材が前記離間位置から前記接触位置に移動したことに応じて、前記力付与部による前記当接が解除され、前記感光体と前記現像ロ
ーラが当接することを特徴とする請求項７に記載の画像形成装置。
【手続補正２】
【補正対象書類名】明細書
【補正対象項目名】発明の名称
【補正方法】変更
【補正の内容】
【発明の名称】画像形成装置
【手続補正３】
【補正対象書類名】明細書
【補正対象項目名】０００１
【補正方法】変更
【補正の内容】
【０００１】
本発明は、画像形成装置に関するものである。
【手続補正４】
【補正対象書類名】明細書
【補正対象項目名】００１０
【補正方法】変更
【補正の内容】
【００１０】
本発明の目的は、感光体ドラムと現像ユニットを装着した引き出し部材を装置本体内に装着する画像形成装置において、感光体ドラムと現像ローラとが接離可能で、且つ小型化を実現できる画像形成装置を提供することにある。
【手続補正５】
【補正対象書類名】明細書
【補正対象項目名】００１２
【補正方法】変更
【補正の内容】
【００１２】
すなわち、本発明の画像形成装置は、
本体開口を備えた装置本体と、
前記本体開口を開閉するドアと、
前記本体開口を介して、前記装置本体の内側に位置する内側位置と、前記装置本体の外側に位置する外側位置と、の間を移動可能なユニットと、を有する画像形成装置であって、
前記ユニットは、
感光体と、前記感光体を回転させるための駆動力を受ける感光ドラムカップリングと、前記感光体に接触して前記感光体上に形成された静電潜像を現像する為の現像ローラと、前記現像ローラを回転させるための駆動力を受ける現像カップリングと、前記現像ローラに供給する現像剤を収容する現像剤収容部と、を有するプロセスカートリッジと、
前記プロセスカートリッジを取り外し可能に支持し、前記本体開口を介して、前記装置本体の内側に位置する内側位置と、前記装置本体の外側に位置する外側位置と、の間を移動可能な支持部材と、を有し、
前記装置本体は、
前記ドアが閉まる動作に連動して、前記現像カップリングと係合して前記現像カップリングに駆動力を伝える本体側現像カップリングと、
前記ドアが閉まる動作に連動して、前記感光ドラムカップリングと係合して前記感光ドラムカップリングに駆動力を伝える本体側感光ドラムカップリングと、有し、
前記ユニットは、
前記感光体と前記現像ローラとを接触させるための接触位置と、前記感光体と前記現像ローラとを離間させる為の離間位置と、を取り得る接離部材と、
前記装置本体からの駆動力を第１の方向に回転し伝達することで前記接離部材を、前記離間位置から前記接触位置に移動させる移動部材と、を有し、
前記移動部材は、前記第１の方向とは逆の第２の方向に回転することで、前記接離部材を、前記接触位置から前記離間位置に移動させ、前記接離部材が前記離間位置に移動したときに、前記感光体は前記現像ローラから離間し、
前記接離部材は、前記感光体の長手方向において前記感光体の片方の端部の外側にのみ設けられていることを特徴とする。
【手続補正６】
【補正対象書類名】明細書
【補正対象項目名】００１３
【補正方法】変更
【補正の内容】
【００１３】
また、他の発明は、
本体開口を備えた装置本体と、
前記本体開口を開閉するドアと、
前記本体開口を介して、前記装置本体の内側に位置する内側位置と、前記装置本体の外側に位置する外側位置と、の間を移動可能なユニットと、を有する画像形成装置であって、
前記ユニットは、
感光体と、前記感光体に接触して前記感光体上に形成された静電潜像を現像する為の現像ローラと、前記現像ローラに供給する現像剤を収容する現像剤収容部と、を有するプロセスカートリッジと、
前記プロセスカートリッジを取り外し可能に支持し、前記本体開口を介して、前記装置本体の内側に位置する内側位置と、前記装置本体の外側に位置する外側位置と、の間を移動可能な支持部材と、を有し、
前記ユニットは、
前記感光体と前記現像ローラとを接触させるための接触位置と、前記感光体と前記現像ローラとを離間させる為の離間位置と、を取り得る接離部材と、
前記装置本体からの駆動力を第１の方向に回転し伝達することで前記接離部材を、前記離間位置から前記接触位置に移動させる移動部材と、を有し、
前記移動部材は、前記第１の方向とは逆の第２の方向に回転することで、前記接離部材を、前記接触位置から前記離間位置に移動させ、前記接離部材が前記離間位置に移動したときに、前記感光体は前記現像ローラから離間し、
前記接離部材は、前記感光体の長手方向において前記感光体の片方の端部の外側にのみ設けられていることを特徴とする。
【手続補正７】
【補正対象書類名】明細書
【補正対象項目名】００１４
【補正方法】変更
【補正の内容】
【００１４】
以上説明したように、本発明によれば、感光体ドラムと現像ユニットを装着した引き出し部材を装置本体内に装着する画像形成装置において、感光体ドラムと現像ローラとが接触離間可能で、且つ小型化を実現できる。